(57)【特許請求の範囲】
【請求項１】
商品の陳列棚に載置される載置部と、前記載置部上に立設して前端部に下面を開放した収納空間を形成する立設部と、前記収納空間に配されるとともに線材を引き出し可能に保持して巻取方向に付勢するリール部材と、前記線材の先端に取り付けられて香りを発生する香り発生部とを備えたことを特徴とする香り見本。
【請求項２】
前記立設部が前記載置部よりも前方に突出することを特徴とする請求項１に記載の香り見本。
【請求項３】
前記載置部と前記リール部材との間の前記立設部の下面に凹部を設けたことを特徴とする請求項２に記載の香り見本。
【請求項４】
前記立設部が前面板と、前記前面板の両側端から後方に折曲された一対の側面板とを有し、両方の前記側面板間に前記収納空間を形成したことを特徴とする請求項１〜請求項３のいずれかに記載の香り見本。
【請求項５】
前記前面板及び前記側面板が板紙により形成されるとともに、両方の前記側面板に挟まれて接着された樹脂から成る補強板を設け、前記補強板を折曲して前記載置部を形成したことを特徴とする請求項４に記載の香り見本。
【請求項６】
マグネットを前記載置部の下面に設けたことを特徴とする請求項１〜請求項５のいずれかに記載の香り見本。
【請求項７】
前記線材に前記香り発生部を着脱可能に設けたことを特徴とする請求項１〜請求項６のいずれかに記載の香り見本。
【請求項８】
前記香り発生部が、香り物質を含有した香り部材を収納して通気孔を開口するとともに周面に鍔部を突設したケースと、前記ケースの挿通孔を開口して前記鍔部を挟む一対の挟持板の接着により前記ケースを支持するとともに前記線材に接続される支持部とを有することを特徴とする請求項１〜請求項７のいずれかに記載の香り見本。
【発明の詳細な説明】
【技術分野】
【０００１】
本発明は、店頭試供品等に用いられる香りを発生する香り見本に関する。
【背景技術】
【０００２】
洗剤、芳香剤や香水等の商品の香りを顧客が購入前に試香できる店頭試供品は商品とは異なる香り見本により提供される場合がある。特許文献１には従来の香り見本が開示されている。この香り見本は下端に所定の隙間を有して上端で二つ折りされる前面部及び背面部を有する支持部材と、フィルムにより形成されて香り物質が収納された包装袋とを備える。包装袋は支持部材の前面部の内面に接着され、前面部及び包装袋に貫通する吐出口が設けられている。
【０００３】
上記構成の香り見本は吐出口が開封された後に商品が陳列される陳列棚に貼着される。そして、前面部の下端部及び背面部の下端部を互いに接近する方向に移動させて包装袋を押圧すると、吐出口を介して香り物質の香りが放出される。これにより、顧客は香り物質の香りを試香して商品を選択することができる。
【先行技術文献】
【特許文献】
【０００４】
【特許文献１】登録実用新案第３１４４０１７号公報（第５頁、第６頁、第７図、第９図）
【発明の概要】
【発明が解決しようとする課題】
【０００５】
しかしながら、上記従来の香り見本によると、顧客は香り見本に鼻を近づけてから香りを放出させる必要がある。このため、陳列棚の高い位置に香り見本が取り付けられると香り見本に顔を近づけて試香することが困難になり、利便性が悪い問題があった。
【０００６】
本発明は、利便性を向上できる香り見本を提供することを目的とする。
【課題を解決するための手段】
【０００７】
上記目的を達成するために本発明の香り見本は、商品の陳列棚に載置される載置部と、前記載置部上に立設して前端部に下面を開放した収納空間を形成する立設部と、前記収納空間に配されるとともに線材を引き出し可能に保持して巻取方向に付勢するリール部材と、前記線材の先端に取り付けられて香りを発生する香り発生部とを備えたことを特徴としている。
【０００８】
この構成によると、顧客が所定位置に配置された香り発生部を把持して引っ張ると、リール部材から線材が引き出され、香り発生部を鼻の近くまで引き寄せることができる。そして、顧客が香り発生部を離すと線材がリール部材に巻き取られ、香り発生部は所定位置に戻る。
【０００９】
また本発明は、上記構成の香り見本において、前記立設部が前記載置部よりも前方に突出すると好ましい。
【００１０】
また本発明は、上記構成の香り見本において、前記載置部と前記リール部材との間の前記立設部の下面に凹部を設けると好ましい。
【００１１】
また本発明は、上記構成の香り見本において、前記立設部が前面板と、前記前面板の両側端から後方に折曲された一対の側面板とを有し、両方の前記側面板間に前記収納空間を形成すると好ましい。
【００１２】
また本発明は、上記構成の香り見本において、前記前面板及び前記側面板が板紙により形成されるとともに、両方の前記側面板に挟まれて接着された樹脂から成る補強板を設け、前記補強板を折曲して前記載置部を形成すると好ましい。
【００１３】
また本発明は、上記構成の香り見本において、マグネットを前記載置部の下面に設けると好ましい。
【００１４】
また本発明は、上記構成の香り見本において、前記線材に前記香り発生部を着脱可能に設けると好ましい。
【００１５】
また本発明は、上記構成の香り見本において、前記香り発生部が、香り物質を含有した香り部材を収納して通気孔を開口するとともに周面に鍔部を突設したケースと、前記ケースの挿通孔を開口して前記鍔部を挟む一対の挟持板の接着により前記ケースを支持するとともに前記線材に接続される支持部とを有すると好ましい。
【発明の効果】
【００１６】
本発明によると、陳列棚に載置される載置部上に立設する立設部の収納空間に配したリール部材から引き出される線材に香り発生部が取り付けられる。これにより、顧客は香り発生部を鼻の近くに引き寄せて試香することができる。したがって、香り見本の利便性を向上して試香を容易に行うことができる。
【図面の簡単な説明】
【００１７】
【図１】本発明の実施形態の香り見本を示す斜視図
【図２】本発明の実施形態の香り見本を示す上面図
【図３】本発明の実施形態の香り見本のリール部材の正面図
【図４】本発明の実施形態の香り見本の香り発生部を示す側面断面図
【図５】本発明の実施形態の香り見本の載置部及び補強板を形成するブランク板を示す展開図
【図６】本発明の実施形態の香り見本の立設部を形成するブランク板を示す展開図
【図７】本発明の実施形態の香り見本の使用状態を示す斜視図
【発明を実施するための形態】
【００１８】
以下に本発明の実施形態を図面を参照して説明する。図１及び図２は本発明の一実施形態の香り見本の斜視図及び上面図をそれぞれ示している。香り見本１は芳香剤、化粧品、柔軟剤、洗剤等の商品６０（図７参照）の試香のために陳列棚７０（図７参照）に配され、載置部２、立設部３、リール部材４及び香り発生部５を備えている。
【００１９】
載置部２は樹脂により形成され、後述の補強板７と一体に形成される。載置部２は商品６０を陳列する陳列棚７０の鉄製の設置部７２（図７参照）に載置され、載置部２の下面にはマグネット６が両面粘着テープや接着剤により接着されている。これにより、香り見本１を陳列棚７０に着脱可能に取り付けることができる。なお、マグネット６に替えて、載置部２の下面に配した両面粘着テープにより載置部２を陳列棚７０の設置部７２に貼着してもよい。
【００２０】
立設部３は載置部２上に立設され、載置部２よりも前方に突出する。立設部３は板紙により形成される前面板３１、側面板３２及び側面板３３を有している。前面板３１は立設部３の前面に配され、側面板３２、３３は前面板３１の両側端から折り線９０（図６参照）を介して後方に折曲して形成される。
【００２１】
側面板３２、３３の後部は互いに接着される。この時、側面板３２、３３間には補強板７が挟まれる。補強板７は樹脂製のブランク板１００（図５参照）の折曲により載置部２と一体に形成される。両面粘着テープや接着剤を介して側面板３３の内面に補強板７が接着され、補強板７の後部に側面板３２の後部の内面が接着される。補強板７によって立設部３が補強され、立設部３の傾倒を防止することができる。
【００２２】
立設部３の前端部には前面板３１、側面板３２及び側面板３３により囲まれた収納空間Ｓが形成される。収納空間Ｓは上下面を開放し、水平断面形状が三角形になっている。なお、収納空間Ｓの上面を塞いでもよい。収納空間Ｓには両面粘着テープや接着剤を介して補強板７に接着されるリール部材４が配される。
【００２３】
載置部２とリール部材４との間の立設部３の下面には台形形状の凹部８が設けられる。後述するように、凹部８によって立設部３とプライスレール７１（図７参照）との干渉を回避することができる。
【００２４】
図３はリール部材４の正面図を示している。リール部材４は筐体４２内に軸支された回転部材（不図示）及びぜんまいバネ（不図示）を有し、線材４１を回転部材に巻回する。これにより、リール部材４は線材４１を引き出し可能に収納する。ぜんまいバネは線材４１を巻き取る方向に回転部材を付勢する。線材４１の先端には引き込み防止用のストッパ４１ｂを介してリング状の取付部４１ａが設けられる。
【００２５】
図４は香り発生部５の側面断面図を示している。香り発生部５は香り物質を含有した粒状の香り部材５３を収納する樹脂製のケース５１と、ケース５１を支持する環状の支持部５２とを備えている。ケース５１は略半球形状の一対の部材を互いに係合して形成され、香り部材５３の粒径よりも小径の複数の通気孔５１ｃを開口する。通気孔５１ｃを介して香り物質の香りがケース５１の外部に放出される。ケース５１の周面には環状の鍔部５１ｂが突設される。
【００２６】
支持部５２は板紙から成る一対の挟持板５２ｃ、５２ｄから成っている。挟持板５２ｃ、５２ｄはケース５１の挿通孔５２ａが開口し、鍔部５１ｂを挟んで両面粘着テープ５４を介して互いに接着される。これにより、支持部５２によってケース５１が支持される。なお、接着剤により挟持板５２ｃ、５２ｄを接着してもよい。また、一枚の板紙を折曲して挟持板５２ｃ、５２ｄを形成してもよく、支持部５２を矩形等の他の形状に形成してもよい。
【００２７】
支持部５２の周部には二重リング等の係止部材５２ｃ（図１参照）を取り付ける取付孔５２ｂが設けられる。係止部材５２ｃをリール部材４の取付部４１ａ（図３参照）に係止することにより、香り発生部５が線材４１の先端に着脱可能に取り付けられる。
【００２８】
なお、香り部材５３をシート状や粉状に形成してもよい。また、ケース５１を省き、香り物質を含有したブロック状の樹脂等の香り部材を支持部５２により支持してもよい。また、支持部５２を省き、ケース５１をリール部材４に取り付けてもよい。
【００２９】
図５は載置部２及び補強板７の展開図を示している。載置部２及び補強板７を形成するブランク板１００は樹脂板を打ち抜いて形成される。なお、ブランク板１００の材質に特に限定はないが、例えばポリエチレンテレフタラートを用いることができる。補強板７の下端には折り線９０を介して載置部２が連設されている。図中、補強板７の下端で載置部２の側方には凹部８を形成する台形形状の切欠き８ｃが打ち抜きにより形成される。
【００３０】
図６は立設部３の展開図を示している。立設部３を形成するブランク板２００はマニラボール、ボール紙、カード紙、クラフトボール等の板紙のシートを打ち抜いて形成される。側面板３２、前面板３１及び側面板３３は折り線９０を介して順に連設されている。前面板３１及び側面板３２、３３の外面には商品６０（図７参照）に関する絵、写真や文字等の広告が印刷される。図中、側面板３２、３３の下端にはそれぞれ凹部８を形成する台形形状の切欠き８ａ、８ｂが打ち抜きにより形成される。なお、補強板７を省き、樹脂板により載置部２、前面板３１、側面板３２、３３を一体に形成してもよい。
【００３１】
香り見本１の組み立て時には、載置部２と補強板７とが直交するようにブランク板１００（図５参照）が折り線９０で折り曲げられる。そして、リール部材４の筐体４２が両面粘着テープや接着剤を介して領域Ａ（図５参照）に接着される。
【００３２】
次に、リール部材４が取り付けられた補強板７を側面板３３の内面に両面粘着テープや接着剤により接着する。そして、前面板３１が側面板３３に対して略垂直になるとともに側面板３２、３３が互いに対向するようにブランク板１００（図６参照）が折り線９０で折曲される。そして、側面板３２の内面の後部と補強板７とを両面粘着テープや接着剤により接着する。この時、切欠き８ａ〜８ｃが重なって凹部８（図１参照）が形成される。
【００３３】
そして、リール部材４の線材４１の取付部４１ａに香り発生部５の係止部材５２ｃを挿通する。これにより、香り見本１が形成される。香り見本１は図１に示す状態で輸送や保管が行われる。
【００３４】
図７は香り見本１の使用状態の斜視図を示している。店頭に設置される陳列棚７０は商品６０が載置される鉄製の設置部７２と、設置部７２の前端部に立設されて商品６０の価格等を表示する透明な板状のプライスレール７１とを有する。香り見本１はマグネット６により設置部７２に着脱可能に取り付けられる。この時、プライスレール７１は凹部８内に配され、立設部３とプライスレール７１との干渉が回避される。
【００３５】
顧客が手指Ｈで香り発生部５の支持部５２を把持して香り発生部５を引っ張ると、リール部材４から線材４１が引き出され、顧客は香り発生部５を鼻の近くまで引き寄せて試香することができる。これにより、香り見本１の載置部２が陳列棚７０の高い位置に取り付けられている場合でも顧客は容易に試香することができる。したがって、香り見本１の利便性を向上して試香を容易に行うことができる。
【００３６】
また、リール部材４は線材４１を巻取方向に付勢するため、試香を終えた顧客が支持部５２から手指Ｈを離すと香り発生部５は図１の所定位置に戻る。これにより、香り発生部５を所定位置に戻す手間を省くことができる。
【００３７】
本実施形態によると、陳列棚７０に載置される載置部２上に立設する立設部３の収納空間Ｓに配したリール部材４から引き出される線材４１に香り発生部５が取り付けられる。これにより、顧客は香り発生部５を鼻の近くに引き寄せて試香することができる。したがって、香り見本１の利便性を向上して試香を容易に行うことができる。
【００３８】
また、立設部３が載置部２よりも前方に突出しているため、立設部３の外面に商品６０の広告を印刷すると顧客に視認されやすくなり商品６０の訴求効果を向上することができる。また、線材４１の巻き取り時の香り発生部５と陳列棚７０との衝突を防止することができる。
【００３９】
また、載置部２とリール部材４との間の立設部３の下面に凹部８を設けている。これにより、香り見本１を陳列棚７０に設置した際に凹部８内にプライスレール７１が配される。したがって、立設部３とプライスレール７１との干渉を回避して、香り見本１を確実に陳列棚７０に取り付けることができる。
【００４０】
また、立設部３が前面板３１と、前面板３１の両側端から後方に折り線９０を介して折曲された側面板３２、３３とを有し、側面板３２、３３間に収納空間Ｓを形成している。これにより、容易に収納空間Ｓを形成してリール部材４を収納し、リール部材４を隠すことができる。したがって、香り見本１の美観を向上させることができる。また、陳列棚７０の正面に向けて前面板３１に広告を形成することができる。
【００４１】
また、前面板３１及び側面板３２、３３が板紙により形成されるとともに、側面板３２、３３に挟まれて接着された樹脂から成る補強板７を設け、補強板７を折曲して載置部２を形成している。これにより、立設部３を補強して立設部３の傾倒を防止することができる。
【００４２】
また、マグネット６を載置部２の下面に設けているため、香り見本１を陳列棚７０に対して容易に着脱可能に取り付けることができる。また、顧客が香り発生部５を引っ張った際に陳列棚７０からの香り見本１の落下を防止することができる。
【００４３】
また、線材４１に香り発生部５を着脱可能に設けているため、香りの種類の異なる香り発生部５や香りの放出量が低下した香り発生部５を容易に交換することができる。
【００４４】
また、香り発生部５が、香り部材５３を収納して通気孔５１ｃを開口するとともに周面に鍔部５１ｂを突設したケース５１と、ケース５１の挿通孔５２ａを開口して鍔部５１ｂを挟む挟持板５２ｃ、５２ｄの接着によりケース５１を支持するとともに線材４１に接続される支持部５２とを有する。これにより、香りを発生してリール部材４から引き出される香り発生部５を容易に実現することができる。
【産業上の利用可能性】
【００４５】
本発明は、店頭試供品等に用いられる香りを発生する香り見本に利用することができる。
【符号の説明】
【００４６】
１      香り見本
２      載置部
３      立設部
４      リール部材
５      香り発生部
６      マグネット
７      補強板
８      凹部
３１      前面板
３２、３３    側面板
４１      線材
５１      ケース
５２      支持部
５２ｃ、５２ｄ    挟持板
５３      香り部材
６０      商品
７０      陳列棚
９０      折り線
１００、２００    ブランク板
Ｓ      収納空間
【図１】
0006565390.tif 000002
【図２】
0006565390.tif 000003
【図３】
0006565390.tif 000004
【図４】
0006565390.tif 000005
【図５】
0006565390.tif 000006
【図６】
0006565390.tif 000007
【図７】
0006565390.tif 000008